(57)【特許請求の範囲】
【請求項１】
屋内における異常を検出するためのセンサ（１１ａ、１１ｂ、１１ｃ、…）と、前記センサからの信号により屋内の状態を撮像し画像を生成するためのカメラ（１２）を内蔵する主装置（１）と、前記主装置に挿脱自在に装着され無線通信回線で基地局（５）と通信接続を行うための無線通信データカード（２）と、前記基地局とインターネット網（６）で接続され前記主装置から送信される画像データを加工し、画像データ蓄積部（３４）で蓄積を行なうサーバ（３）と、前記サーバの前記画像データ蓄積部に蓄積された画像情報を閲覧するためのＷＷＷブラウズ閲覧機能を有する携帯電話（４ａ、４ｂ、４ｃ、…）とを備え、
前記サーバは、前記携帯電話からアクセスするユーザを認証するためのユーザ認証部（３６）と、ユーザの情報等を設定し保存しておくユーザ設定データ蓄積部（３５）と、前記ユーザ設定データ蓄積部のデータに基づき前記携帯電話のディスプレイ（４１ａ、４１ｂ、４１ｃ、…）の有効画像表示サイズ、有効ファイル形式を考慮した画像サイズ、ファイル形式に画像を加工、変換可能であって前記主装置より送信された前記画像データを加工する画像データ加工部（３３）と、前記異常を検出し前記カメラで撮像して得られた画像が前記サーバにアップロードされた場合に、その画像が保存されている前記画像データ蓄積部のＵＲＬのリンクを作成し、前記携帯電話にメール送信するためのメール作成部（３７）とを備えることにより、前記携帯電話から前記サーバにアクセスして前記ユーザ認証部で認証されたとき前記ユーザ設定データ蓄積部に前記主装置の前記カメラを自動撮像に設定して、その自動撮像時間間隔を設定するとともに、前記画像データ蓄積部にアクセスして、撮像した日時が一覧表示されている画像リストの中から見たい画像をダウンロードすることを特徴とするセキュリティシステム。
【請求項２】
前記主装置は、前記通信に必要な信号の組み立てを行う信号組立回路（２５）と、前記無線通信データカードの仕様変更に際してデータのバージョンアップが可能であって前記信号組立回路を制御するためのドライバ（２６）と、前記ドライバの情報を保存するためのドライバ情報保存用メモリ（２４）とで構成される通信部（１ｃ）と、前記通信部を制御するＣＰＵ（２１）とを備えたことを特徴とする請求項１記載のセキュリティシステム。
【発明の詳細な説明】
【０００１】
【発明の属する技術分野】
本発明は、セキュリティシステムに係り、特に屋内においてカメラで撮像した画像データをサーバで加工、保存し携帯電話から閲覧できるセキュリティシステムに関する。
【０００２】
【従来の技術】
従来から、この種のセキュリティシステムとしては特開２００１−１２６１７３号公報開示の「ホームセキュリティ情報通知システム」が提案されている。
【０００３】
このホームセキュリティ情報通知システムは、屋内における異常を検出するためのセンサと、屋内の状態を撮像するためのカメラと、センサおよびカメラに接続され電子メールクライアント機能を備えた専用のプログラム制御により動作するパソコンと、パソコンに接続されセンサから出力された警告信号の種類に対応した警告メッセージ等の情報が格納されたデータベースとを住宅内に備え、これらと共にこの住宅内に備えられたパソコンとデータの送受を行うことができるセキュリティセンターおよび携帯電話から構成されている。
【０００４】
このように構成されたホームセキュリティ情報通知システムにおいて、センサから警告信号がパソコンに出力されると、パソコンはこの警告信号を取り込むと共に、カメラに対して撮影命令を出力し、カメラにて撮影された映像を取り込み、さらに、センサから出力された警告信号の種類に対応する警告メッセージをデータベースから取り込み、カメラから取り込んだ映像とデータベースから取り込んだ警告メッセージとをセキュリティセンターおよび携帯電話に対して送信して、住宅内で異常が発生したことを知らせる。
【０００５】
【発明が解決しようとする課題】
しかしながら、このような特開２００１−１２６１７３号公報開示の「ホームセキュリティ情報通知システム」では、屋内の装置にデータべ−スおよびメール、データ等を送受信するためのホームサーバ的なパーソナルコンピュータが必要なので、１つの住戸に対して１つのパーソナルコンピュータが必要であった。これにより、システムのコストアップの原因になっていた。
【０００６】
本発明は、このような従来の難点を解決するためになされたもので、撮像した画像データの処理、加工、メール送信等を行うサーバ機能をインターネット網で接続されたサーバに集中させ、クライアント側のシステム構成を簡素化した効率のよいセキュリティシステムを提供することを目的としている。
【０００７】
【課題を解決するための手段】
上記目的を達成するため本発明のセキュリティシステムは、屋内における異常を検出するためのセンサと、センサからの信号により屋内の状態を撮像し画像を生成するためのカメラを内蔵する主装置と、主装置に挿脱自在に装着され無線通信回線で基地局と通信接続を行うための無線通信データカードと、基地局とインターネット網で接続され主装置から送信される画像データを加工し、画像データ蓄積部で蓄積を行なうサーバと、サーバの画像データ蓄積部に蓄積された画像情報を閲覧するためのＷＷＷブラウズ閲覧機能を有する携帯電話とを備え、
サーバは、携帯電話からアクセスするユーザを認証するためのユーザ認証部と、ユーザの情報等を設定し保存しておくユーザ設定データ蓄積部と、ユーザ設定データ蓄積部のデータに基づき携帯電話のディスプレイの有効画像表示サイズ、有効ファイル形式を考慮した画像サイズ、ファイル形式に画像を加工、変換可能であって主装置より送信された画像データを加工する画像データ加工部と、異常を検出しカメラで撮像して得られた画像がサーバにアップロードされた場合に、その画像が保存されている画像データ蓄積部のＵＲＬのリンクを作成し、携帯電話にメール送信するためのメール作成部とを備えることにより、携帯電話からサーバにアクセスしてユーザ認証部で認証されたときユーザ設定データ蓄積部に主装置のカメラを自動撮像に設定して、その自動撮像時間間隔を設定するとともに、画像データ蓄積部にアクセスして、撮像した日時が一覧表示されている画像リストの中から見たい画像をダウンロードするものである。
【０００８】
このようなセキュリティシステムによれば、屋内のセンサにより異常検知した場合、その情報と画像データをサーバにアップロードすることができるので、外出先の携帯電話からＷＷＷブラウズ閲覧機能でその情報を確認して、サーバのデータ蓄積部に保存された画像データにて侵入した不審者の画像を閲覧できる。
【０００９】
また、このようなセキュリティシステムによれば、サーバにアップロードされたカメラからの画像を、携帯電話のＷＷＷブラウズ閲覧機能を利用して確認できる。
【００１０】
さらに、このようなセキュリティシステムによれば、使用する携帯電話のＩＤやパスワード等を設定すれば、携帯電話でサーバにアクセスした時に、これら情報がユーザ認証部で認証処理され、認証されたときはサーバの画像データ蓄積部にアクセス可能となり、画像データ加工部でこのアクセスした携帯電話のディスプレイに表示可能に加工、変換された画像データの閲覧ができるようになる。
【００１１】
また、本発明のセキュリティシステムにおいて主装置は、通信に必要な信号の組み立てを行う信号組立回路と、無線通信データカードの仕様変更に際してデータのバージョンアップが可能であって信号組立回路を制御するためのドライバと、ドライバの情報を保存するためのドライバ情報保存用メモリとで構成される通信部と、通信部を制御するＣＰＵとを備えたものである。
このようなセキュリティシステムによれば、１つのシステムにおいて通信形態の異なる各種の無線回線網を使用することができるようになる。
【００１２】
【発明の実態の形態】
以下、本発明のセキュリティシステムにおける好ましい実施の形態例について、図面を参照して詳述する。
【００１３】
本発明のセキュリティシステムは図1に示すように、屋内における異常を検出するためのセンサ１１ａ、１１ｂ、１１ｃ、…と、センサ１１ａ、１１ｂ、１１ｃ、…からの異常検出信号により屋内の状態を撮像するためのカメラ１２を内蔵する主装置１と、主装置１に挿脱自在に装着され無線通信回線で基地局５と通信接続を行うための無線通信データカード２と、基地局５とインターネット網６で接続され主装置１から送信される画像データを加工し、画像データ蓄積部３４で蓄積を行なうサーバ３と、基地局５を介してサーバ３にアクセスし当該サーバ３の画像データ蓄積部３４に蓄積された画像情報を閲覧するためのＷＷＷ（world wide web）ブラウズ閲覧機能を有する携帯電話４ａ、４ｂ、４ｃ、…とを備えている。
【００１４】
主装置１は図２に示すように、カメラ１２で屋内の状態を撮像し画像を生成するための映像部１ａと、マイク１３およびスピーカ１４を備えた音声部１ｂと、無線通信データカード２を挿脱自在に装着するための通信部１ｃと、これら映像部１ａ、音声部１ｂおよび通信部１ｃを制御するＣＰＵ２１とを備えている。
【００１５】
映像部１ａは、カメラ１２を制御するためのカメラ制御部１７と、カメラ１２で撮像した画像データを処理する画像処理部２２と、画像処理部２２で画像処理された画像データを一時的に保存しておくための画像保存用メモリ２３とで構成され、これらカメラ制御部１７、画像処理部２２および画像保存用メモリ２３はそれぞれＣＰＵ２１に接続されている。
【００１６】
音声部１ｂは、マイク１３がマイクアンプ１５を介してＣＰＵ２１に接続され、スピーカ１４がスピーカアンプ１６を介してＣＰＵ２１に接続されている。
【００１７】
通信部１ｃは、無線通信データカード２を挿脱自在に装着するためのカードソケット１８と、カードソケット１８に接続され通信に必要な信号の組み立てを行うＦＰＧＡ（field programmable gate array）のような信号組立回路２５と、信号組立回路２５に接続され無線通信データカード２の仕様変更に際してデータのバージョンアップが可能であって信号組立回路２５を制御するためのドライバ２６と、ドライバ２６の情報を保存するためのドライバ情報保存用メモリ２４とで構成されている。なお、ドライバ２６およびドライバ情報保存用メモリ２４はＣＰＵ２１に接続されている。これにより、１つのシステムにおいて通信形態の異なる各種の無線回線網を使用することができるようになる。また、ＣＰＵ２１には、センサ１１ａ、１１ｂ、１１ｃ、…が接続されている。このセンサ１１ａ、１１ｂ、１１ｃ、…としては、侵入者による動作検出や窓解錠を検知するためのセンサや、煙、ガス、水を検知するためのセンサなどを挙げることができる。
【００１８】
無線通信データカード２は、ＰＨＳ網等の無線通信回線で基地局５と通信接続を行うためのＰＨＳデータカード等が用いられる。
【００１９】
サーバ３は図３に示すように、基地局5とインターネット網６で接続され主装置1から送信される画像データの送受を行うインターフェース３１（以下、「ＩＦ３１」とする。）と、主装置1からアップロードされた画像データを保存する画像データ蓄積部３４と、携帯電話４ａ、４ｂ、４ｃ、…からアクセスするユーザを認証するためのユーザ認証部３６と、ユーザの情報等を設定し保存しておくユーザ設定データ蓄積部３５と、ユーザ設定データ蓄積部３５のユーザの情報等のデータに基づき携帯電話４ａ、４ｂ、４ｃ、…のディスプレイ４１ａ、４１ｂ、４１ｃ、…の有効画像表示サイズ、有効ファイル形式を考慮した画像サイズ、ファイル形式に画像を加工、変換可能であって主装置１より送信された画像データを加工する画像データ加工部３３と、主装置１から異常検知情報および画像データがアップロードされるとその画像データを保存した画像データ蓄積部３４のＵＲＬ（uniform resource locator）のリンク、無線通信データカード２の電話番号のリンクをメールで作成し、携帯電話４ａ、４ｂ、４ｃ、…にメール送信するためのメール作成部３７と、これらＩＦ３１、画像データ加工部３３、画像データ蓄積部３４、ユーザ設定データ蓄積部３５、ユーザ認証部３６およびメール作成部３７に接続され画像データの送受や各種制御を行うＣＰＵ３２とを備えている。このように構成されたサーバ３は、スクリプトプログラムを動作させるための例えばＡＳＰ（active server pages）機能を有するＷｅｂサーバである。
【００２０】
次に、このような録画機能を備えたセキュリティシステムにおける動作を説明する。なお、通信系のクライアントとなる主装置１に装着した無線通信データカード２の情報や、携帯電話４ａ、４ｂ、４ｃ、…の電話番号、メールアドレス、ディスプレイ４１ａ、４１ｂ、４１ｃ、…の有効画像表示サイズ、有効ファイル形式等の機種情報などの情報およびサービス機能の設定を、サーバ３のユーザ設定データ蓄積部３５に予め登録しておく。この際、携帯電話４ａ、４ｂ、４ｃ、…からサーバ３にアクセスするためのＩＤとパスワードが、当該サーバ３から発行される。
【００２１】
このように設定されたセキュリティシステムにおいて、屋内に設置されたセンサ１１ａ、１１ｂ、１１ｃ、…が宅内の異常を検知すると、主装置1のＣＰＵ２１にその状態を知らせる異常検出信号が入力される。その異常検出信号が動作検出検知の信号、例えば留守中の不審者の侵入を検出した場合であれば、ＣＰＵ２１は映像部１ａのカメラ制御部１７にカメラ制御信号を送信しカメラ１２において撮像を行う制御をする。このカメラ１２で撮像した撮像データは、画像処理部２２で処理し画像保存用メモリ２３に一時的に保存する。保存した画像データは画像保存用メモリ２３からＣＰＵ２１を介して通信部１ｃに出力される。通信部１ｃでは、この画像データを無線通信データカード２の通信フォーマットに合わせるために、ドライバ２６で信号組立回路２５を制御して信号の組み立てを行う。
【００２２】
この無線通信データカード２は、無線通信データカード２の通信フォーマットに合わせた画像データを無線通信回線網を介して回線接続された基地局５に送信し、この基地局５からインターネット網６を介してサーバ３にアクセスして、サーバ３の画像データ蓄積部３４に画像データをアップロードする。サーバ３の画像データ蓄積部３４にアップロードされた画像データは、先にユーザ設定データ蓄積部３５に登録した内容に準じてファイルサイズの変更、ファイル形式の変換を行い画像データ蓄積部３４に保存する。
【００２３】
この画像データがサーバ３の画像データ蓄積部３４に保存されると、サーバ３のメール作成部３７は、その画像データが保存されている画像データ蓄積部３４のＵＲＬのリンク、無線通信データカード２の電話番号のリンクをメールで作成し、携帯電話４ａ、４ｂ、４ｃ、…にメール送信する。
【００２４】
携帯電話４ａ、４ｂ、４ｃ、…を所有する利用者はメールを確認し、必要であれば携帯電話４ａ、４ｂ、４ｃ、…からサーバ３にアクセスし、ＩＤとパスワードを入力してサーバ３のユーザ認証部３６にて認証を受けることにより、サーバ３の画像データ蓄積部３４にアクセスすることができるので、この画像データ蓄積部３４に保存されている画像データをダウンロードして、侵入した不審者の画像を確認することができる。さらに、携帯電話４ａ、４ｂ、４ｃ、…と無線通信データカード２とを基地局５を介して回線接続し、主装置１の音声部１ｂとの通話ラインを形成して、携帯電話４ａ、４ｂ、４ｃ、…から屋内に侵入した不審者を、音声部１ｂのマイク１３にて入力される音声でモニタし、また、不審者に対して音声部１ｂのスピーカ１４より音声で威嚇を行うことが可能になる。
【００２５】
また、このような本発明のセキュリティシステムは、ペットの監視や要介護者の介護にも利用することができる。
【００２６】
この場合、携帯電話４ａ、４ｂ、４ｃ、…からサーバ3にアクセスしてＩＤとパスワード情報を入力する。入力された情報データは、サーバ3のユーザ認証部３６で認証処理され、認証されたときはユーザ設定データ蓄積部３５にアクセスすることができるので、ユーザ設定データ蓄積部３５に主装置１の映像部１ａのカメラ１２を自動撮像に設定して、その自動撮像間隔を例えば１時間に設定する。設定した内容はサーバ3からインターネット網６および基地局５を介して主装置１に送信されるので、主装置１の映像部１ａのカメラ制御部１７の撮像設定が変更される。
【００２７】
この設定により、主装置１は映像部１ａのカメラ１２で１時間毎に所定時間撮像するので、このカメラ１２で撮像した撮像データは、画像処理部２２で処理され画像保存用メモリ２３に一時的に保存される。画像保存用メモリ２３に保存された画像データは、その都度、無線通信回線網、基地局５およびインターネット網６を介してサーバ3の画像データ蓄積部３４にアップロードされ、画像データ加工部３３で携帯電話４ａ、４ｂ、４ｃ、…の機種情報に準じた画像サイズ、ファイル形式に変換されて画像データ蓄積部３４に保存される。
【００２８】
これにより、携帯電話４ａ、４ｂ、４ｃ、…からサーバ３にアクセスし、ＩＤとパスワードを入力してサーバ３のユーザ認証部３６にて認証を受けると、サーバ３の画像データ蓄積部３４にアクセスすることができるようになるので、例えば、撮像した日時が一覧表示されている画像リストの中から見たい画像をダウンロードして確認することができる。
【００２９】
【発明の効果】
以上の説明から明らかなように、本発明のセキュリティシステムによれば、撮像した画像データの処理、加工、メール送信等を行うサーバ機能をインターネット網で接続されたサーバに集中させたので、クライアント側のシステム構成を簡素化することができる。これにより、センサを備える複数の住戸に対して１つのサーバだけでセキュリティシステムを確立できるようになる。
【図面の簡単な説明】
【図１】  本発明のセキュリティシステムによる好ましい実施の形態例を示す構成図。
【図２】  本発明のセキュリティシステムの構成要素である主装置の詳細を示すブロック図。
【図３】  本発明のセキュリティシステムの構成要素であるサーバの詳細を示すブロック図。
【符号の説明】
１‥‥‥主装置
１ｃ‥‥‥通信部
２‥‥‥無線通信データカード
３‥‥‥サーバ
４ａ、４ｂ、４ｃ、…  ‥‥‥携帯電話
４１ａ、４１ｂ、４１ｃ、…  ‥‥‥携帯電話のディスプレイ
５‥‥‥基地局
１１ａ、１１ｂ、１１ｃ、…  ‥‥‥センサ
１２‥‥‥カメラ
２１‥‥‥ＣＰＵ
２４‥‥‥ドライバ情報保存用メモリ
２５‥‥‥信号組立回路
２６‥‥‥ドライバ
３３‥‥‥画像データ加工部
３４‥‥‥画像データ蓄積部
３５‥‥‥ユーザ設定データ蓄積部
３６‥‥‥ユーザ認証部
３７‥‥‥メール作成部
【図１】
0003917433.tif 000002
【図２】
0003917433.tif 000003
【図３】
0003917433.tif 000004